(57)【要約】【課題】庇部に落下した煮汁等のバーナキャップ周縁から主炎孔への落下による、燃焼性能への悪影響を抑制し、庇部に落下した煮汁等による点火装置の汚損による、点火性能の劣化を抑制するこんろ用バーナを提供する。【解決手段】バーナ本体１上にバーナキャップ２が載置され、周縁に多数の主炎孔４１が設けられ、その一部に点火用炎孔４０が設けられ、その近傍に点火スパークを発生する点火プラグ２７ａが設けられる。バーナキャップ２の周面の一部から、点火プラグ２７ａの上方を覆う庇部３を備えたこんろ用バーナである。庇部３の先端縁を、煮汁を庇部３から落下させる排出部３１とする。庇部３の上面のバーナキャップ２周方向の端部に、煮汁が零れ落ちるのを牽制する第一の堰３２を設ける。庇部３の排出部３１となる先端縁と点火プラグ２７ａとの距離Ｌ１が、庇部３の堰が設けられている側端縁と点火プラグ２７ａとの距離Ｌ２より大きく構成する。【選択図】図６
2014214963.tif 000002
【特許請求の範囲】
【請求項１】
環状の混合室を有するバーナ本体と、
前記バーナ本体上に載置され、周縁に多数の炎孔を形成するバーナキャップと、
多数の前記炎孔のうちの一部である点火用炎孔の近傍に設けられ、点火スパークを発生する点火プラグと、
前記バーナキャップの外周から外方に突出するように設けられ、前記点火プラグの上方を覆うとともに下面に点火スパークターゲットを有する庇部と、
を備えたこんろ用バーナであって、
前記庇部の前記バーナキャップの外周から突出する方向の先端縁を、前記庇部上面に落下した煮汁を前記庇部から落下させる排出部とし、
前記庇部の上面の前記バーナキャップ周方向の端部に、該端部より前記庇部上面に落下した煮汁が零れ落ちるのを牽制する第一の堰を設け、
平面視における前記庇部の前記排出部となる前記先端縁と前記点火プラグとの距離が、平面視における前記庇部の前記堰が設けられている側端縁と前記点火プラグとの距離より大きく構成することを特徴とするこんろ用バーナ。
【請求項２】
前記庇部の前記バーナキャップの外周から突出する基部に、前記庇部上面に落下した煮汁の前記バーナキャップ上面への流入を牽制する第二の堰を設けることを特徴とする請求項１記載のこんろ用バーナ。
【請求項３】
前記バーナキャップの上方に、前記バーナキャップを覆うカバー体が配設され、平面視における前記カバー体の端縁が、前記第二の堰部と前記排出部の間に位置することを特徴とする請求項２記載のこんろ用バーナ。
【請求項４】
前記庇部の上面に、前記第二の堰部から前記排出部に向かって下り勾配となる傾斜面を形成することを特徴とする請求項２または３記載のこんろ用バーナ。
【請求項５】
前記第二の堰の高さ寸法より前記第一の堰の高さ寸法を大きく構成することを特徴とする請求項２乃至４のいずれか一項に記載のこんろ用バーナ。
【請求項６】
前記庇部の下面の周縁に垂下縁部を形成することを特徴とする請求項１乃至５のいずれか一項に記載のこんろ用バーナ。
【発明の詳細な説明】
【技術分野】
【０００１】
本発明は、こんろ用バーナに関するものである。
【背景技術】
【０００２】
従来より、環状の混合室を有するバーナ本体上にバーナキャップが載置され、バーナ本体およびバーナキャップの周縁に多数の主炎孔が形成されるこんろ用バーナが知られている（例えば特許文献１参照）。また、バーナ本体およびバーナキャップの周縁の一部には、点火用炎孔が設けられ、この点火用炎孔の近傍に、点火スパークを発生する点火プラグを有する点火装置が設けられている。そして、バーナキャップの外周の前記点火プラグに対応する部分の上部に、外方に突出する庇部が連設されると共に、庇部の下面の点火プラグと対向する位置に点火装置を構成する点火スパークターゲットが設けられている。
【０００３】
このような従来のこんろ用バーナにあっては、庇部が設けられているため、点火装置で点火される際、点火用炎孔から出たガスが滞留し易く、点火装置での点火がより確実になって、点火性能が向上するものである。また、庇部が設けられているため、煮汁等が点火プラグに付着するのが防止され、点火性能が悪くなるのを防止でき、更に、庇部の下面の周縁に縁部が垂下してあるため、庇部の上面に落下した煮汁等が庇部の下面に回り込むのが防止され、煮汁等が点火プラグに付着することが一層防止されるものである。
【先行技術文献】
【特許文献】
【０００４】
【特許文献１】特開２００６−０２９７２３号公報
【発明の概要】
【発明が解決しようとする課題】
【０００５】
しかしながら、上記の従来例にあっては、庇部に落下する煮汁等の量が多い時には、庇部に落下した煮汁等がバーナキャップ上に流れた後に、バーナキャップ周縁から主炎孔に落下して、主炎孔における燃焼性能に悪影響を与えるおそれがある。
【０００６】
また、庇部に落下する煮汁等のうちバーナキャップ上に流れなかった煮汁は、庇部の周縁のいずれかの箇所から落下することになるが、煮汁が多いと点火プラグへの煮汁等の付着が防止し難いものであった。つまり、庇部は、周方向に隣接する主炎孔との距離を所定距離以上に保つ必要があり、庇部の周方向の幅を大きくできない。このため、平面視における庇部の周方向の端縁と、点火プラグとの距離を大きくできないので、庇部に落下する煮汁等の量が多い時には、庇部の周方向の端縁から落下する煮汁等が点火プラグに付着してしまうことがあり、点火性能が劣化するおそれがある。
【０００７】
本願発明は、上記に鑑みてなされたものであり、庇部に落下した煮汁等がバーナキャップ上に流れた後にバーナキャップ周縁から主炎孔に落下して、主炎孔における燃焼性能に悪影響を与えることが抑制され、また、庇部に落下した煮汁等によって点火プラグ等の点火装置が汚損されて点火性能が劣化してしまうことが抑制されるこんろ用バーナを提供する点を課題とする。
【課題を解決するための手段】
【０００８】
上記課題を解決するために、請求項１に係る発明は、環状の混合室１０を有するバーナ本体１と、前記バーナ本体１上に載置され、周縁に多数の主炎孔４１を形成するバーナキャップ２と、多数の前記主炎孔４１のうちの一部である点火用炎孔４０の近傍に設けられ、点火スパークを発生する点火プラグ２７ａと、前記バーナキャップ２の外周から外方に突出するように設けられ、前記点火プラグ２７ａの上方を覆うとともに下面に点火スパークターゲット２７ｂを有する庇部３と、を備えたこんろ用バーナであって、前記庇部３の前記バーナキャップ２の外周から突出する方向の先端縁を、前記庇部３上面に落下した煮汁を前記庇部３から落下させる排出部３１とし、前記庇部３の上面の前記バーナキャップ２周方向の端部に、該端部より前記庇部３上面に落下した煮汁が零れ落ちるのを牽制する第一の堰３２を設け、前記庇部３の前記排出部３１となる先端縁と前記点火プラグ２７ａとの距離Ｌ１が、前記庇部３の前記第一の堰３２が設けられている側端縁と前記点火プラグ２７ａとの距離Ｌ２より大きく構成することを特徴とする。
【０００９】
このような構成とすることで、庇部３に落下した煮汁等は、排出部３１から落下することになるが、庇部３の排出部３１となる先端縁と点火プラグ２７ａとの距離Ｌ１が、庇部３の第一の堰３２側の端縁と点火プラグ２７ａとの距離Ｌ２より大きくなるように構成されているので、排出部３１から落下する煮汁等が大きな煮汁のしずくとなった場合にも、この大きな煮汁のしずくが点火プラグ２７ａにおける絶縁体と接触することが抑制できるので、煮汁のしずくが点火プラグ２７ａにおける絶縁体と接触して点火プラグ２７ａが煮汁により汚損されて、絶縁体の汚損された箇所において沿面放電してしまい、点火性能が劣化してしまうことが抑制される。
【００１０】
また、請求項２に係る発明は、請求項１に係る発明において、前記庇部３の前記バーナキャップ２の外周から突出する基部に、前記庇部３上面に落下した煮汁の前記バーナキャップ２上面への流入を牽制する第二の堰３３を設けることを特徴とする。
【００１１】
このような構成とすることで、庇部３に落下した煮汁等がバーナキャップ２上に流れることが抑制されるので、庇部３に落下した煮汁等がバーナキャップ２上に流れた後にバーナキャップ２周縁から主炎孔４１に落下して、主炎孔４１における燃焼性能に悪影響を与えることが抑制される。
【００１２】
また、請求項３に係る発明は、請求項２に係る発明において、前記バーナキャップ２の上方に、前記バーナキャップ２を覆うカバー体５が配設され、平面視における前記カバー体５の端縁５１が、前記第二の堰３３部と前記排出部３１の間に位置することを特徴とする。
【００１３】
このような構成とすることで、バーナキャップ２上に落下した煮汁等が、バーナキャップ２周縁から主炎孔４１に落下して、主炎孔４１における燃焼性能に悪影響を与えることが抑制される。また、カバー体５に落下した煮汁等がカバー体５の端縁５１から庇部３に落下する時、第二の堰３３部と排出部３１の間に落下することになり、排出部３１から適切に排出することができ、カバー体５に落下した煮汁等がバーナキャップ２上に流れることが抑制される。これにより、庇部３に落下した煮汁等がバーナキャップ２上に流れた後にバーナキャップ２周縁から主炎孔４１に落下して、主炎孔４１における燃焼性能に悪影響を与えることが抑制される。
【００１４】
また、請求項４に係る発明は、請求項２または３に係る発明において、前記庇部３の上面に、前記第二の堰３３部から前記排出部３１に向かって下り勾配となる傾斜面を形成することを特徴とする。
【００１５】
このような構成とすることで、庇部３に落下した煮汁等の排出部３１への流動が促進されて、点火プラグ２７ａが煮汁により汚損されて点火性能が劣化してしまうことが一層抑制される。
【００１６】
また、請求項５に係る発明は、請求項２乃至４のいずれか一項に係る発明において、前記第二の堰３３の高さ寸法より前記第一の堰３２の高さ寸法を大きく構成することを特徴とする。
【００１７】
このような構成とすることで、大量の煮汁等が庇部３に落下した場合にも、煮汁等が第一の堰３２を越える前に第二の堰３３を越えてバーナキャップ２上に流動させることができ、煮汁等が第一の堰３２を越えて落下して点火プラグ２７ａに付着することで、点火性能が劣化することが抑制できる。
【００１８】
また、請求項６に係る発明は、請求項１乃至５のいずれか一項に係る発明において、前記庇部３の下面の周縁に垂下縁部３４を形成することを特徴とする。
【００１９】
このような構成とすることで、庇部３の上面に落下した煮汁等が庇部３の下面に回り込むことがないので、煮汁等が点火装置２７に付着することが一層防止される。
【発明の効果】
【００２０】
本発明にあっては、庇部に落下した煮汁等がバーナキャップ上に流れた後にバーナキャップ周縁から主炎孔に落下して、主炎孔における燃焼性能に悪影響を与えることが抑制され、また、庇部に落下した煮汁等によって点火プラグ等の点火装置が汚損されて点火性能が劣化してしまうことが抑制される。
【図面の簡単な説明】
【００２１】
【図１】本発明のこんろ用バーナの一実施形態を示し、（ａ）は全体斜視図であり、（ｂ）はバーナキャップ（およびカバー体）を除いた斜視図である。
【図２】同上の実施形態を示し、（ａ）は全体平面図であり、（ｂ）はバーナキャップ（およびカバー体）を除いた平面図である。
【図３】同上の実施形態におけるバーナキャップの下方より見た斜視図である。
【図４】図１（ａ）における要部拡大図である。
【図５】同上の実施形態の側面図である。
【図６】図２（ａ）における要部拡大図である。
【発明を実施するための形態】
【００２２】
以下、本発明を添付図面に示す実施形態に基いて説明する。こんろ用バーナＡは、図１、図２に示すようにバーナ本体１の環状をした混合室１０の上にバーナキャップ２を着脱自在に載置して主体が構成されている。
【００２３】
バーナ本体１は、図１、図２に示すように混合管１１を一体に有するものである。混合管１１の基端には燃料としてのガスを吐出するガスノズルが配置され、ガスノズルからガスを吐出すると、混合管１１の基端から一次空気が吸入されて混合管１１内でガスと一次空気とが混合されて混合ガスが生成されるようになっている。バーナ本体１は円環状に形成されており、バーナ本体１の内周側の二次空気通流用孔１２を通っても燃焼用の二次空気が供給されるようになっている。このバーナ本体１には円環状の混合室１０を設けてあり、この混合室１０は混合管１１に連通している。バーナ本体１の上面には円環状をしたバーナベース１３が設けてあると共に、このバーナベース１３上には円環状をしたバーナキャップ２が載設される。
【００２４】
バーナキャップ２（図３参照）は、図１（ａ）に示すように、バーナキャップ２の下面の外周部がバーナベース１３に載置され、バーナキャップ２において円環状をした形状の内端縁から下方に向けて設けたキャップ筒部２１が、バーナ本体１のバーナベース１３の内側に配設された円筒状をした内筒部１４内に嵌入された状態となると、混合室１０はバーナキャップ２の下面によって上方が閉じられる。また、キャップ筒部２１の内側には、二次空気通流用孔１２が形成される。
【００２５】
バーナキャップ２の下面の外周のバーナベース１３に載置される部分には、図３に示すように、周方向に放射状に複数の主炎孔用溝２２を凹設してあり、バーナキャップ２をバーナ本体１のバーナベース１３の上に載置した際、主炎孔用溝２２によってバーナベース１３及びバーナキャップ２の当接部分の外側の大気と内側の混合室１０とが連通し、混合室１０の混合ガスが主炎孔用溝２２を通って外側へと流れ、主炎孔用溝２２の外側の開口が前記混合ガスが燃焼する主炎孔４１となっている。本例では、バーナキャップ２の主炎孔用溝２２間に下方に開口する凹部２３が形成してあり、この凹部２３内が混合ガスが溜まって減圧される溜まり空間となると共に、凹部２３の内方側（バーナキャップ２の中心側）の壁部に混合室１０から前記凹部２３へ混合ガスを流入させる一つ又は複数の溝や開口からなる流入部２３ａを設けてあり、保炎孔４２には、混合室１０から前記流入部２３ａ、凹部２３を介して流量が絞られ且つ流速が減速された混合ガスが供給されるようになっている。混合室１０から混合ガスを供給して点火すると、主炎孔４１に火炎の大きな主炎が形成されると共に保炎孔４２に火炎の小さな保炎が全周に亙って形成されるようになっている。
【００２６】
またバーナキャップ２の上面には隣り合う主炎孔４１の間の位置で放射状に二次空気供給用の凹溝２４を凹設してあり、バーナ本体１の内筒部１４内に嵌入されたキャップ筒部２１の内側に形成された二次空気通流用孔１２から供給された燃焼用の二次空気が凹溝２４を介して主炎孔４１の両側に供給されるようになっている。これによりバーナ本体１の外周から供給される燃焼用の二次空気の量が少なくとも凹溝２４を介して内周側からも二次空気が供給されることにより充分に二次空気が供給されて安定した燃焼をする。またバーナキャップ２の上面にはバーナキャップ２の上面に煮汁等が付着するのを防止するためのカバー体５が設置され、カバー体５から鋲、リベット等の固着具２５ａをバーナキャップ２の取り付けボス２５に打入することでカバー体５が取り付けられている。本実施形態では、図５に示すように、カバー体５の端縁５１が、第二の堰３３部と排出部３１の間に位置している。
【００２７】
多数の主炎孔４１のうちの一部は、点火用炎孔４０となる。この点火用炎孔４０は点火炎を形成して保炎孔４２や主炎孔４１から出る混合ガスに点火できるようになっている。この点火用炎孔４０を設ける部分ではバーナキャップ２の外周面に凹曲面２６を設けてあり、この凹曲面２６の中央部に対応する位置に点火用炎孔４０を設けてある。
【００２８】
この点火用炎孔４０に対応する部分には点火スパークを発生して点火用炎孔４０から出る混合ガスに点火する点火装置２７を付設してある。点火装置２７は点火プラグ２７ａと点火スパークターゲット２７ｂとで主体が構成されている。点火プラグ２７ａはバーナ本体１に装着してあり、点火プラグ２７ａの電極が上方に突出している。バーナキャップ２の点火用炎孔４０を設けた部分の上方には点火用炎孔４０に煮汁等が落下して付着するのを阻止する庇部３を外方に突出するように設けてあり、庇部３の下面には点火スパークターゲット２７ｂを設けてあり、点火プラグ２７ａの電極と点火スパークターゲット２７ｂが所定のギャップを隔てて対向している。そして点火用炎孔４０から混合ガスを吐出すると共に点火装置２７で点火スパークを発生すると、点火用炎孔４０から吐出する混合ガスに点火されて点火炎が形成されるようになっている。また点火用炎孔４０と混合室１０との間に滞留用空間２８を設けてあり、この滞留用空間２８と混合室１０とを連通孔２８ａを介して連通させてあり、混合室１０から供給される混合ガスを連通孔２８ａから滞留用空間２８に流入させて滞留用空間２８に一旦滞留させて点火用炎孔４０から吐出させるようになっている。
【００２９】
本発明においては、庇部３の上面のバーナキャップ２周方向の端部に、この端部（側端縁）より、庇部３上面に落下した煮汁が零れ落ちるのを牽制する第一の堰３２を設ける。そして、庇部３のバーナキャップ２の外周から突出する方向の先端縁を、庇部３上面に落下した煮汁を庇部３から落下させる排出部３１とする。そして更に、平面視における庇部３の排出部３１となる先端縁と点火プラグ２７ａとの距離Ｌ１が、平面視における庇部３の第一の堰３２が設けられている側端縁と点火プラグ２７ａとの距離Ｌ２より大きく構成するものである。
【００３０】
庇部３に落下した煮汁等は、排出部３１から落下することになるが、庇部３の排出部３１となる先端縁と点火プラグ２７ａとの距離Ｌ１が、庇部３の第一の堰３２側の端縁と点火プラグ２７ａとの距離Ｌ２より大きくなるように構成されているので、排出部３１から落下する煮汁等が大きな煮汁のしずくとなった場合にも、この大きな煮汁のしずくが点火プラグ２７ａにおける絶縁体と接触することが抑制できる。これにより、煮汁のしずくが点火プラグ２７ａにおける絶縁体と接触して点火プラグ２７ａが煮汁により汚損されて、絶縁体の汚損された箇所において沿面放電してしまい、点火性能が劣化してしまうことが抑制される。
【００３１】
補足すると、バーナキャップ２周方向に隣接する主炎孔４１と庇部３との距離を所定距離以上に保つ必要があるという理由により、庇部３の側端縁と点火装置２７との距離Ｌ２を大きくできない場合であっても、庇部３の排出部３１側端縁と点火装置２７との距離Ｌ１を大きくできるものである。
【００３２】
また本実施形態では、庇部３のバーナキャップ２の外周から突出する基部に、庇部３上面に落下した煮汁のバーナキャップ２上面への流入を牽制する第二の堰３３を設けるものである。
【００３３】
庇部３に落下した煮汁等は、第二の堰３３によりバーナキャップ２上に流れることが抑制されるので、庇部３に落下した煮汁等がバーナキャップ２上に流れた後にバーナキャップ２周縁から主炎孔４１に落下して、主炎孔４１における燃焼性能に悪影響を与えることが抑制される。
【００３４】
また本実施形態では、バーナキャップ２の上方に、バーナキャップ２を覆うカバー体５が配設され、平面視におけるカバー体５の端縁５１が、第二の堰３３部と排出部３１の間に位置している。このため、バーナキャップ２上（すなわちカバー体５上）に落下した煮汁等が、バーナキャップ２（すなわちカバー体５）周縁から主炎孔４１に落下して、主炎孔４１における燃焼性能に悪影響を与えることが抑制される。また、カバー体５に落下した煮汁等がカバー体５の端縁から庇部３に落下する時、第二の堰３３部と排出部３１の間に落下することになり、排出部３１から適切に排出することができ、カバー体５に落下した煮汁等がバーナキャップ２上に流れることが抑制される。これにより、庇部３に落下した煮汁等がバーナキャップ２上に流れた後にバーナキャップ２周縁から主炎孔４１に落下して、主炎孔４１における燃焼性能に悪影響を与えることが抑制される。
【００３５】
また本実施形態では、庇部３の上面に、第二の堰３３部から排出部３１に向かって下り勾配となる傾斜面を形成するものである。これにより、庇部３に落下した煮汁等の排出部３１への流動が促進されて、点火プラグ２７ａが煮汁により汚損されて点火性能が劣化してしまうことが一層抑制される。
【００３６】
また本実施形態では、第二の堰３３の高さ寸法より第一の堰３２の高さ寸法を大きく構成するものである。これにより、大量の煮汁等が庇部３に落下した場合にも、煮汁等が第一の堰３２を越える前に第二の堰３３を越えてバーナキャップ２上に流動させることができ、煮汁等が第一の堰３２を越えて落下して点火プラグ２７ａに付着することで、点火性能が劣化することが抑制できる。
【００３７】
なお、第二の堰３３を越えてバーナキャップ２上に流動した煮汁等のほとんどは、平面視でバーナ本体１の中央に設けられた二次空気通流用孔１２を通って、バーナ本体１の下に落下し、燃焼性能や点火性能に悪影響を与える蓋然性は低い。
【００３８】
また本実施形態では、庇部３の下面の周縁に垂下縁部３４を形成するものである。これにより、庇部３の上面に落下した煮汁等が庇部３の下面に回り込むことがないので、煮汁等が点火装置２７に付着することが一層防止される。
【符号の説明】
【００３９】
１    バーナ本体
１０  混合室
１１  混合管
１２  二次空気通流用孔
１３  バーナベース
１４  内筒部
２    バーナキャップ
２１  キャップ筒部
２２  主炎孔用溝
２３  凹部
２３ａ  流入部
２４  凹溝
２５  ボス
２５ａ  固着具
２６  凹曲面
２７  点火装置
２７ａ  点火プラグ
２７ｂ  点火スパークターゲット
２８  滞留用空間
２８ａ  連通口
３    庇部
３１  排出部
３２  第一の堰
３３  第二の堰
３４  垂下縁部
４０  点火用炎孔
４１  主炎孔
４２  保炎孔
５    カバー体
Ａ    こんろ用バーナ
【図１】
2014214963.tif 000003
【図２】
2014214963.tif 000004
【図３】
2014214963.tif 000005
【図４】
2014214963.tif 000006
【図５】
2014214963.tif 000007
【図６】
2014214963.tif 000008